(57)【要約】【課題】  より安定したドラグ性能を発揮する魚釣用リールを提供すること。【解決手段】  魚釣用リール１０は、釣糸を巻回するスプール４０の前部に設けられる開口凹部５４に、押圧部材７２と、ドラグノブ７４の内側に形成されスプール軸３８の雄ネジ部３８ａに螺合する雌ネジ部１０２と、前記押圧部材と前記雌ネジ部との間に設けられ前記雌ネジ部を前記ドラグノブに向かって付勢する圧縮コイルバネ７８とを有するドラグ力調整部材６２を備え、前記雌ネジ部の螺合状態を変化させることによってドラグ力を調整可能である。前記押圧部材７２は、前記スプール軸３８の外周を支持する内周円筒部８２を有する。【選択図】    図２
2010252760.tif 000002
【特許請求の範囲】
【請求項１】
押圧部材と、ドラグノブの内側に形成されスプール軸の雄ネジ部に螺合する雌ネジ部と、前記押圧部材と前記雌ネジ部との間に設けられ前記雌ネジ部を前記ドラグノブに向かって付勢する弾性部材とを有するドラグ力調整部材を、釣糸を巻回するスプールの前部に設けられる開口凹部に備え、前記スプール軸の雄ネジ部に対する前記ドラグノブの雌ネジ部の螺合状態を変化させることによってドラグ力を調整可能な魚釣用リールであって、
前記押圧部材は、前記スプール軸の外周を支持するスプール軸支持部を有することを特徴とする魚釣用リール。
【請求項２】
前記スプール軸支持部は筒状に形成され、前記スプール軸支持部の外周に弾性部材が設けられていることを特徴とする請求項１に記載の魚釣用リール。
【請求項３】
前記スプール軸支持部と前記スプール軸との間には、前記スプールを支持するスプール支持部材が配設されていることを特徴とする請求項１もしくは請求項２に記載の魚釣用リール。
【発明の詳細な説明】
【技術分野】
【０００１】
この発明は、スプールに制動力を付与するドラグ機構を有する魚釣用リールに関する。
【背景技術】
【０００２】
スプール軸の前部に回転自在に支持したスプールに制動力を付与するドラグ機構は、例えば特許文献１に開示されているように、スプール前部に形成した凹部に複数の制動板を収容し、スプール軸の前部に螺合するドラグノブを回転操作することで制動板を押圧して（ドラグ力を加えて）いる。そして、ドラグノブを回転操作してスプール軸に対するスプールの摩擦結合力を変えて、スプールの制動力を増減調整する構成を有する。
【先行技術文献】
【特許文献】
【０００３】
【特許文献１】特開２００１−２６９０９９号公報
【発明の概要】
【発明が解決しようとする課題】
【０００４】
回転操作されたときに付与されるバネ力により制動板を押圧するドラグノブの押圧部は、中央にスプール軸やスプールメタルに対して隙間を有し緩く嵌合する連通孔を有する有底皿状のキャップをドラグノブの内面に固定し、このキャップ内でスプール軸に螺合し、バネ付勢されたナットが軸方向移動可能に回り止め嵌合されている。  
ナットとスプール軸の螺合精度はラフであり、スプール軸に対してキャップが緩く嵌合する構成であることにより、スプール軸に対して押圧部が径方向に偏ったり、又は、傾いた状態で制動板を押圧することがあるので、ドラグ性能が安定し難い。
【０００５】
また、ドラグノブクリック機構を装備したリールでは、これらの偏り、傾きにより、クリック性能（発音状態や耐久性）が安定し難い。さらに、スプール軸に対してスプールも傾き易くなるので、糸巻状態にも影響が生じ易い。
【０００６】
この発明は、このような課題を解決するためになされたもので、より安定したドラグ性能を発揮し、ドラグ機構にクリック機構を有する場合でも安定したクリック性能を有する魚釣用リールを提供することを目的とする。
【課題を解決するための手段】
【０００７】
上記課題を解決するために、この発明に係る魚釣用リールは、押圧部材と、ドラグノブの内側に形成されスプール軸の雄ネジ部に螺合する雌ネジ部と、前記押圧部材と前記雌ネジ部との間に設けられ前記雌ネジ部を前記ドラグノブに向かって付勢する弾性部材とを有するドラグ力調整部材を、釣糸を巻回するスプールの前部に設けられる開口凹部に備え、前記スプール軸の雄ネジ部に対する前記ドラグノブの雌ネジ部の螺合状態を変化させることによってドラグ力を調整可能であり、前記押圧部材は、前記スプール軸の外周を支持するスプール軸支持部を有することを特徴とする。  
また、前記スプール軸支持部は筒状に形成され、前記スプール軸支持部の外周に弾性部材が設けられていることが好適である。  
また、前記スプール軸支持部と前記スプール軸との間には、前記スプールを支持するスプール支持部材が配設されていることが好適である。
【発明の効果】
【０００８】
スプール軸の雄ネジ部にドラグノブの内側に形成された雌ネジ部を螺合させドラグ力（押圧力）を大きくするように調整しても、押圧部材がスプール軸の外周を支持するスプール軸支持部を有することによって押圧部材の変形を抑制することができる。また、ドラグ力を小さくしても、押圧部材がスプール軸の外周を支持するので、スプール軸に対する押圧部材のガタ付きを防止できる。このため、ドラグ力を大きくしても、小さくしても安定したドラグ性能を発揮できる。  
スプール軸支持部は筒状に形成され、スプール軸支持部の外周に弾性部材が設けられていることによって、スプール軸支持部自体の強度及び剛性が増すのはもちろん、スプール軸との接触面積を大きくすることができるので、押圧部材の変形を抑制できるとともに弾性部材の押圧支持状態も安定し、ドラグ力を大きくしても、小さくしても安定したドラグ性能を発揮できる。  
スプール軸支持部とスプール軸との間に、スプールを支持するスプール支持部材が配設されていることによって、大径のスプール支持部材によってスプール軸支持部の変形を効果的に抑制でき、ドラグ力を大きくしても安定したドラグ性能を発揮できる。また、ドラグ力を小さくしても、ガタ付きを防止しているので、安定したドラグ性能を発揮できる。
【図面の簡単な説明】
【０００９】
【図１】本発明の第１の実施の形態に係る魚釣用スピニングリールの一部を断面とした部分断面図。
【図２】第１の実施の形態に係る魚釣用スピニングリールのスプールの内部構造を示す縦断面図。
【図３】第１の実施の形態に係る魚釣用スピニングリールの図２中のＩＩＩ−ＩＩＩ線に沿う横断面図。
【図４】第２の実施の形態に係る魚釣用スピニングリールのスプールの内部構造を示す縦断面図。
【図５】第２の実施の形態に係る魚釣用スピニングリールの図４中のＶ−Ｖ線に沿う横断面図。
【図６】第３の実施の形態に係る魚釣用スピニングリールのスプールの内部構造を示す縦断面図。
【図７】第３の実施の形態に係る魚釣用スピニングリールの図６中のＶＩＩ−ＶＩＩ線に沿う横断面図。
【図８】第４の実施の形態に係る魚釣用スピニングリールのスプールの内部構造を示す縦断面図。
【図９】第４の実施の形態に係る魚釣用スピニングリールの図８中のＩＸ−ＩＸ線に沿う横断面図。
【発明を実施するための形態】
【００１０】
以下、図面を参照しながらこの発明を実施するための形態について説明する。  
第１の実施の形態について図１から図３を用いて説明する。  
図１は本発明の好ましい実施形態による魚釣用スピニングリール１０を示す。図１に示すように、魚釣用スピニングリール１０は、剛性構造のリールボディの一側に固定される着脱可能の蓋体（図示しない）でその内部空間を閉じたリール本体１２を有し、リール本体１２から延出する脚部１２ａの端部に形成された釣竿取付部１２ｂを介して図示しない釣竿に取り付けられる。このリール本体１２内にはハンドル軸１４が回転可能に支持されており、リール本体１２から突出するハンドル軸１４の端部には、ハンドル１６が固定される。
【００１１】
ハンドル軸１４のリール本体１２内に配置される部位には、ドライブギア２２が取り付けられている。このドライブギア２２には、ハンドル軸１４に対して直交する方向に延在し且つ軸受けを介してリール本体１２内に回転可能に支持された円筒状構造のピニオンギア２４が噛合する。  
このピニオンギア２４は、ハンドル軸１４に対して直交する前後方向に延びかつリール本体１２に対して回転自在に支持された筒軸２６の後端側外周部に設けられている。この筒軸２６の先端部には、ベール３２および図示しないラインローラ（釣糸案内部）を備えたアーム部３４と、筒部３６とを一体的に有するロータ３０が一体的に取り付けられている。このため、ピニオンギア２４を介して筒軸２６と共にロータ３０を一体的に回転することができる。
【００１２】
ピニオンギア２４が設けられた筒軸２６内には、スプール軸３８が貫通しており、スプール軸３８はハンドル軸１４と直交する方向に延在している。このスプール軸３８は、筒軸２６と同心的に配されており、筒軸２６およびリール本体１２に対してハンドル軸１４と直交する方向に沿って前後動することができる。このスプール軸３８の先端部側には、釣糸が巻回されるスプール４０が取り付けられている。
【００１３】
スプール４０を前後方向に往復動するスプール往復動装置を形成するオシレート機構は、ハンドル軸１４に一体形成するのが好ましい小歯車１４ａに噛合する連動歯車４２を有し、この連動歯車４２の回転中心軸から半径方向外方に偏心した位置に突設させた図示しない係合突起を、スプール軸３８の後端部に取り付けられた図示しない摺動体の案内溝４９に係合させ、連動歯車４２が回転したときに、摺動体を図示しないガイドレールに沿って前後方向に案内することができる。このようなオシレート機構は、ハンドル軸１４がハンドル１６の回転操作によって回転すると、ハンドル軸１４上の小歯車１４ａと噛み合う連動歯車４２が回転し、それに伴って、連動歯車４２の係合突起が回転すると共に、この係合突起に係合する案内溝４９の案内によって摺動体が前後に往復動する。したがって、摺動体に取り付けられたスプール軸３８は筒軸２６内を軸方向に沿って往復駆動（前後動）する。
【００１４】
このスプール軸３８の先端部側には、後端にフランジ部４４ａを有する金属材製で円筒状のスプール支持部材４４がスプール軸３８に対してピン４６で回り止めされ、かつスプール軸３８の軸方向に移動不能に取り付けられている。この支持部材４４には、例えば係止リングで抜け止めされた軸受４８を介して、釣糸巻回胴部４０ａに釣糸が巻回されるスプール４０が着脱可能に取り付けられている。このため、スプール４０は、スプール軸３８と共にハンドル軸１４（図１参照）と直交する方向に往復動することができる。
【００１５】
このように形成された魚釣用スピニングリール１０は、ハンドル１６を回転操作してハンドル軸１４を回転させると、オシレート機構の摺動体に取り付けられたスプール軸３８を介してスプール４０が前後に往復動し、一方、巻取駆動機構のドライブギア２２とピニオンギア２４と筒軸２６とを介してロータ３０が回転駆動される。したがって、スプール４０には、ロータ３０のラインローラ（図示せず）によって案内された釣糸がほぼ均等に巻回される。
【００１６】
なお、リール本体１２内には、ロータ３０の逆回転（釣糸をスプール４０から繰出す方向の回転）を防止する周知の一方向クラッチ（図示しない）を備えた逆転防止機構が配置されている。この逆転防止機構を、リール本体１２の後端壁部に設けた切換レバー５０を切換操作することにより、ロータ３０が正逆転可能な状態と、正転可能でかつ逆転不能の状態とに切換えることができる。
【００１７】
図２に示すように、スプール４０は、釣糸が巻回される釣糸巻回胴部４０ａを外周部に凹設し、この釣糸巻回胴部４０ａの前端側に前側フランジ部４０ｂを配置し、後端側にロータ３０の筒部３６を収容するスカート部４０ｃを配置した筒状構造に形成してある。釣糸巻回胴部４０ａの軸方向のほぼ中央部の内側には、上述した支持部材（スプールメタル）４４および軸受４８を介してスプール軸３８に装着するための中央貫通孔５２ａを軸心と同心状に配置した支持壁５２を一体に形成してある。この支持壁５２の中央貫通孔５２ａは、支持部材４４に装着された軸受４８上に取り付けられる。この支持壁５２の前部には、前方に開口する開口凹部５４が設けられている。
【００１８】
図１および図２に示すように、本実施形態の魚釣用スピニングリール１０には、フロントドラグ方式のドラグ装置６０が設けられている。そして、後述するドラグノブ７４を操作してドラグ力を調整することによって、スプール４０に制動力を付与しながらスプール４０の釣糸繰り出し方向への回転を許容する（スプール４０の回転力を制御する）ことができる。
【００１９】
ドラグ装置６０は、スプール支持部材４４の先端が内側に配設されスプール軸３８の先端部に螺合されるドラグ力調整部材６２と、スプール軸３８およびスプール支持部材４４が貫通し、スプール４０の開口凹部５４内に配置した摩擦結合装置（摩擦結合部）６４と、スプール軸３８およびスプール支持部材４４が貫通し、ドラグ力調整部材６２および摩擦結合装置６４の間に配設される金属材製のラチェットリング６６とを備えている。
【００２０】
ドラグ力調整部材６２は、摩擦結合装置６４およびラチェットリング６６を押圧する押圧部材７２と、摩擦結合装置６４およびラチェットリング６６に対する押圧部材７２の押圧力を調整するためのドラグノブ７４と、スプール軸３８の先端の雄ネジ部３８ａに螺合するナット部材７６と、圧縮コイルバネ（弾性部材）７８と、ラチェットリング６６とともにクリック機構を構成するクリック係合子８０とを備えている。
【００２１】
押圧部材７２は、内周円筒部（スプール軸支持部）８２と、外周円筒部８４と、押圧板８６とを備えている。内周円筒部８２および外周円筒部８４は同心状に配設され、押圧板８６は押圧部材７２の底面を形成し、内周円筒部８２と外周円筒部８４とともに一体的に形成されている。なお、内周円筒部８２および外周円筒部８４の軸方向長さは、外周円筒部８４の方が内周円筒部８２よりも長く形成されている。
【００２２】
押圧部材７２の外周円筒部８４には、例えば１対の側孔８４ａが形成されている。側孔８４ａには、ドラグノブ７４の後述する爪部９４ａとクリック係合子８０とが配設されている。  
押圧部材７２の内部には、クリック係合子８０が配設されている。クリック係合子８０は、帯状の金属素材が円弧状に形成され、例えばその中央部には外方に突出する突出部８０ａが形成されている。このため、クリック係合子８０は、外周円筒部８４の内周面に沿って配設されているとともに、外周円筒部８４の側孔８４ａからクリック係合子８０の突出部８０ａを突出させた状態に保持されている。なお、クリック係合子８０の突出部８０ａは、ラチェットリング６６の後述するクリック凹凸歯１２４ａに係合する。クリック係合子８０の開放された両端部は、例えば外周円筒部８４の側孔８４ａのうち、突出部８０ａが配設されていない側孔８４ａに支持されて、クリック係合子８０が押圧部材７２に対して着脱可能に固定された状態にあることが好ましい。
【００２３】
ドラグノブ７４は、ツマミ部９２ａを有する例えばプラスチック製のキャップ９２と、このキャップ９２に設けられ、複数の爪部９４ａを有する筒状部９４とを一体的に備えている。爪部９４ａは押圧部材７２の外周円筒部８４の側孔８４ａに係合される。すなわち、側孔８４ａは爪部９４ａの係止部の役割を果たすとともに、クリック係合子８０の突出部８０ａを突出させる役割を果たす。  
なお、ドラグノブ７４のキャップ９２の外周には、スプール４０の前側フランジ部４０ｂの内周面との間の水密を図るシール部材９８が配設されている。
【００２４】
筒状部９４の内側には、ドラグノブ７４のツマミ部９２ａと反対側に例えば金属材製のナット部材７６の収容部が形成され、ナット部材７６が回り止め嵌合されて収容されている。ナット部材７６は、スプール軸３８の雄ネジ部３８ａが螺合される雌ネジ部１０２と、圧縮コイルバネ７８を押圧部材７２の押圧板８６とともに支持する凹部１０６を有しドラグノブ７４の筒状部９４の内側に配設されるフランジ部１０４とを一体的に備えている。
【００２５】
このため、ナット部材７６の雌ネジ部１０２はスプール軸３８の雄ネジ部３８ａに着脱可能に螺合される。したがって、ドラグノブ７４のツマミ部９２ａをスプール軸３８に対して回転させると、ドラグノブ７４に対して回り止めされたナット部材７６の雌ネジ部１０２がスプール軸３８の雄ネジ部３８ａに螺合される。
【００２６】
摩擦結合装置６４は、内周部を支持部材４４の非円形の外周４４ｂ（図３参照）に対して回り止め嵌合された金属製のスプール軸側摩擦板１１２と、外周部をスプール４０に回り止めされたスプール側摩擦板１１４とを有する多板構造に形成されている。スプール軸側摩擦板１１２およびスプール側摩擦板１１４はそれぞれ２枚以上設けてもよい。これらのスプール軸側摩擦板１１２とスプール側摩擦板１１４とを交互に配置し、互いに対向する摩擦係合面間には、例えば０．５ｍｍから１．５ｍｍ程度の厚さのライニング材１１６が介挿されている。これらの摩擦係合面間に介挿したライニング材１１６は、対向する摩擦係合面の一方に接着固定してもよく、あるいは、いずれの摩擦係合面にも固定することなく、ライニング材１１６のみを交換可能としてもよい。
【００２７】
支持部材４４の外周４４ｂとスプール軸側摩擦板１１２との間の回り止めは、スプール軸側摩擦板１１２の中央部に形成した装着孔を、支持部材４４の外周面４４ｂの非円形形状（図示しない）に対応した非円形形状に形成し、支持部材４４の非円形形状の外周面４４ｂに、スプール軸側摩擦板１１２の非円形形状の装着孔を嵌合することにより、行うことができる。
【００２８】
クリック機構を構成するラチェットリング６６は、押圧部材７２の押圧板８６と摩擦結合装置６４のライニング材１１６との間に配設される円盤状の狭持部１２２と、狭持部１２２の縁部から押圧部材７２の外周円筒部８４の外側に配設されるリング部１２４とを一体的に備えている。リング部１２４の内周面にはクリック係合子８０の突出部８０ａが係合する多数のクリック凹凸歯１２４ａが並設されている。このため、クリック係合子８０の突出部８０ａに対して相対的にクリック凹凸歯１２４ａの係合位置が移動する際にクリック音が発生する。
【００２９】
この摩擦結合装置６４に対するドラグ力調整部材６２は、摩擦結合装置６４の摩擦結合力を調節する調節体として機能する。押圧力（ドラグ力）は押圧部材７２とドラグノブ７４との間に配置した圧縮コイルバネ７８の付勢力で形成され、この押圧力をドラグノブ７４で調節することができる。すなわち、ドラグノブ７４をスプール軸３８に捩じ込むと、ナット部材７６の雌ネジ部１０２に対するスプール軸３８の雄ネジ部３８ａの捩じ込み量に応じた圧縮コイルバネ７８の押圧力で、摩擦結合装置６４がスプール４０の支持壁５２に押圧され、スプール軸３８に対するスプール４０の回転が規制される。
【００３０】
このとき、押圧部材７２には内周円筒部８２が形成され、図２および図３に示すように、この内周円筒部８２の内側にスプール支持部材４４の先端部４４ｃが配設され、この先端部４４ｃの内側にナット部材７６の雌ネジ部１０２を構成する筒状部材が配設されている。このため、押圧部材７２に大きな力が加えられたとしても、内周円筒部８２がスプール軸３８の中心軸方向に変形するのを抑制できる。このため、押圧部材７２がスプール軸３８に対して径方向への偏りや傾きを防止できる。更に、圧縮コイルバネ（弾性部材）７８は、内周円筒部８２により変形時にスプール軸３８と直交する方向の移動が制限されるので、押圧支持状態も安定する。したがって、押圧部材７２の押圧板８６とラチェットリング６６の狭持部１２２、さらには、多板構造の摩擦結合装置６４との間の互いに対する接触面積の変化を抑制できる。したがって、この実施の形態におけるドラグ力調整部材６２を用いることによって、ドラグ性能を安定させることができる。また、ドラグ性能において、スプール４０の動作による糸巻きの影響を受け難くすることができる。
【００３１】
そして、スプール４０の制動抵抗に抗してスプール４０を回転させると、スプール軸３８はその位置を維持したままであるから、クリック係合子８０の突出部８０ａはその位置を維持した状態でラチェットリング６６がスプール４０とともに回転して、ラチェットリング６６のクリック凹凸歯１２４ａに配設されたクリック係合子８０の突出部８０ａの位置が隣接したクリック凹凸歯１２４ａに移動して配置される。このため、クリック音が生じる。
【００３２】
このとき、上述したようにスプール軸３８に対する押圧部材７２の径方向への偏りや傾きを防止できるので、ラチェットリング６６の狭持部１２２に対する押圧部材７２の押圧板８６の接触状態を良好に維持することができる。また、押圧部材７２に対するクリック係合子８０の位置も所定の位置を維持することができる。したがって、クリック係合子８０の突出部８０ａに対するラチェットリング６６のクリック凹凸歯１２４ａのクリック性能を安定化することができる。なお、本実施形態におけるクリック性能の具体例として、「クリック音が一定であること」、「ドラグノブ７４を回すときの負荷の変化が滑らかに変化すること」、「長期間の使用に対しても上記の音や負荷変化が安定していること」が挙げられる。
【００３３】
ドラグノブ７４をスプール軸３８の雄ネジ部３８ａに対して緩めると、その緩め具合に応じて、スプール４０の制動抵抗、すなわち摩擦結合力が低下し、スプール軸３８に対してスプール４０が回転し易くなる。この状態であっても、内周円筒部８２の内側にスプール支持部材４４の先端部４４ｃが配設され、この先端部４４ｃの内側にナット部材７６の雌ネジ部１０２を構成する筒状部材が配設されているので、スプール軸３８に対するガタ付きを防止できる。  
したがって、この実施の形態における押圧部材７２を用いることによって、大きなドラグ力を加えたときからドラグ力を緩めたときに至るまで、常に安定したドラグ性能を維持することができる。
【００３４】
この実施の形態では、押圧部材７２には内周円筒部８２が形成されているものとして説明し、円筒状であることが好適であるが、円筒状などの筒状ではなく、図示しないが、押圧板８６から延出され例えば横断面が円弧状に形成されたものが組み合わせられていても良い。すなわち、符号８２で示す部分（スプール軸支持部）は、筒状に限ることはない。
【００３５】
また、図３に示すように、スプール支持部材４４の先端部４４ｃの外周面４４ｂは、平面部としてされているが、後述する第２の実施の形態で説明するように、スプール支持部材４４の先端部４４ｃは円筒状であっても良い。
【００３６】
次に、第２の実施の形態について図４および図５を用いて説明する。この実施の形態は第１の実施の形態の変形例であって、第１の実施の形態で説明した部材と同一の部材には同一の符号を付し、詳しい説明を省略する。  
図４に示すように、この実施の形態は、第１の実施の形態で説明した圧縮コイルバネ７８（図２および図３参照）の代わりに、板バネ（弾性部材）１４２を用いた例である。ナット部材７６のフランジ部１０４には、板バネ１４２の端部を支持する凹部１０６ａが形成されている。この実施の形態では、内周円筒部８２の外周面と外周円筒部８４の内周面との間の中央の位置（互いに対して等距離ｄの位置）に板バネ１４２の作用点を配置している。そして、板バネ１４２は、それらの内径が内周円筒部８２の外周面によりスプール軸３８と直交する方向の移動が制限される。これらにより、押圧部材７２に対して力が加えられる場合に良好なバランス状態を維持することができる。
【００３７】
図４および図５に示すように、スプール支持部材４４のうち、外周に押圧部材７２の内周円筒部８２の内周面が配設される先端部４４ｃの外周面と、摩擦結合装置６４のスプール軸側摩擦板１１２およびラチェットリング６６の狭持部１２２が配設される非円形の外周４４ｂを有する部分の外周面との間には、段差４４ｄが形成されている。この支持部材４４の先端部４４ｃの外周面は円形状に形成されている。このため、押圧部材７２の内周円筒部８２の内周面に対して、支持部材４４の先端部４４ｃの外周面とは互いに対して回転可能に密着する。したがって、この実施の形態では、第１の実施の形態で説明した場合（図３参照）よりも、ナット部材７６の雌ネジ部１０２の外周面と支持部材４４の先端部４４ｃの内周面との接触面積を大きくすることができる。したがって、第１の実施の形態で説明した場合よりも、スプール軸３８に対する押圧部材７２の径方向への偏りや傾きをより防止できる。このため、クリック機構のクリック性能もさらに安定化することができる。
【００３８】
次に、第３の実施の形態について図６および図７を用いて説明する。この実施の形態は第１および第２の実施の形態の変形例であって、第１および第２の実施の形態で説明した部材と同一の部材には同一の符号を付し、詳しい説明を省略する。  
ここでは、スプール支持部材４４とクリック機構（ラチェットリング６６およびクリック係合子８０）を除去した例について説明する。すなわち、この実施の形態では、ドラグ装置６０は、スプール軸３８の先端部に螺合されるドラグ力調整部材６２と、スプール軸３８が貫通し、スプール４０の開口凹部５４内に配置した摩擦結合装置６４とを備えている。
【００３９】
ドラグ力調整部材６２は、摩擦結合装置６４を押圧する押圧部材７２と、摩擦結合装置６４に対する押圧部材７２の押圧力を調整するためのドラグノブ７４と、スプール軸３８の先端の雄ネジ部３８ａに螺合するナット部材７６と、圧縮コイルバネ（弾性部材）７８とを備えている。
【００４０】
スプール軸３８は、スプール４０の支持壁５２の後端に配設された位置規制部材４６ａによって、スプール４０に連結されている。この位置規制部材４６ａにより、スプール４０は、スプール軸３８に対して回転可能であるが、軸方向移動が規制された状態に配設されている。
【００４１】
図６および図７に示すように、ドラグ力調整部材６２の押圧部材７２の内周円筒部８２は、スプール軸３８の外周面に相対的に回転可能に配設されている。押圧部材７２の押圧板８６は、摩擦結合装置６４のライニング材１１６に接触している。  
なお、ナット部材７６の雌ネジ部１０２および押圧部材７２の内周円筒部８２は、互いに当接するのを防止する長さに形成されている。
【００４２】
この実施の形態のように、押圧部材７２の内周円筒部（スプール軸支持部）８２で直接スプール軸３８を支持しても、第１および第２の実施の形態で説明した効果を得ることができる。
【００４３】
次に、第４の実施の形態について図８および図９を用いて説明する。この実施の形態は第１および第２の実施の形態の変形例であって、第１および第２の実施の形態で説明した部材と同一の部材には同一の符号を付し、詳しい説明を省略する。  
この実施の形態では、ドラグ力調整部材６２の構造が第１から第３の実施の形態と異なっている。また、この実施の形態では、第３の実施の形態で説明したのと同様に、ドラグ装置６０にクリック機構が設けられていない例について説明する。
【００４４】
図８に示すように、押圧部材７２の外周円筒部８４の側孔８４ａは除去され、ドラグノブ７４の筒状部９４の爪部９４ａも除去されている。
【００４５】
一方、押圧部材７２の外周円筒部８４のうち、押圧板８６に対して遠位側には、径方向外方に突出するフランジ部８４ｂが形成されている。ドラグノブ７４のキャップ９２には、押圧部材７２の外周円筒部８４のフランジ部８４ｂが配設される凹部９２ｂが形成されている。押圧部材７２の外周円筒部８４のフランジ部８４ｂがドラグノブ７４のキャップ９２の凹部９２ｂに配設された状態で、キャップ９２の外周には、キャップ９２に対する押圧部材７２の脱落を防止するようにリング状の蓋部材９６が配設されている。このとき、押圧部材７２は、筒状部９４の外周面の周りを回転可能である。すなわち、ドラグ力調整部材６２のドラグノブ７４は、押圧部材７２に対して回転可能である。一方、スプール支持部材４４の外周４４ｂは非円形であり、その形状に応じて押圧部材７２の押圧板８６側の中心穴は形成されている。これらにより、ドラグ力調整の際、押圧板８６は、スプール軸側摩擦板１１２に対して、回転しながら擦れることがなくなり、ドラグ調整直後のドラグ性能が安定し、更に長期間の使用においても品質が安定する。
【００４６】
これまで、いくつかの実施の形態について図面を参照しながら具体的に説明したが、この発明は、上述した実施の形態に限定されるものではなく、その要旨を逸脱しない範囲で行なわれるすべての実施を含む。
【符号の説明】
【００４７】
３８…スプール軸、３８ａ…雄ネジ部、４０…スプール、４０ａ…釣糸巻回胴部、４０ｂ…前側フランジ部、４０ｃ…スカート部、４４…スプール支持部材、４４ａ…フランジ部、４４ｂ…外周、４４ｃ…先端部、４６…ピン、４８…軸受、５２…支持壁、５２ａ…中央貫通孔、５４…開口凹部、６０…ドラグ装置、６２…ドラグ力調整部材、６４…摩擦結合装置、６６…ラチェットリング、７２…押圧部材、７４…ドラグノブ、７６…ナット部材、７８…圧縮コイルバネ（弾性部材）、８２…内周円筒部（スプール軸支持部）、８４…外周円筒部、８４ａ…側孔、８６…押圧板、９２…キャップ、９２ａ…ツマミ部、９２ｂ…凹部、９４…筒状部、９４ａ…爪部、９８…シール部材、１０２…雌ネジ部、１０４…フランジ部、１０６…凹部、１１２…スプール軸側摩擦板、１１４…スプール側摩擦板、１１６…ライニング材、１２２…狭持部、１２４…リング部、１２４ａ…クリック凹凸歯。
【図１】
2010252760.tif 000003
【図２】
2010252760.tif 000004
【図３】
2010252760.tif 000005
【図４】
2010252760.tif 000006
【図５】
2010252760.tif 000007
【図６】
2010252760.tif 000008
【図７】
2010252760.tif 000009
【図８】
2010252760.tif 000010
【図９】
2010252760.tif 000011